(57)【特許請求の範囲】
【請求項１】
作業の様子を撮影して得られる作業映像を、前記作業の構成要素毎に区切るための作業分析支援装置であって、
前記作業映像中の像を検知する検知部と、
該検知部により検知された前記像が、前記構成要素と対応する条件を満たすか否かを判定する判定部と、
前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、
前記作業映像の再生期間のうち、ユーザによって指定された指定範囲を記憶する範囲記憶部と、を有し、
前記検知部は、前記作業映像のうち、前記範囲記憶部に記憶された前記指定範囲内で再生される部分映像中の前記像を検知し、
前記判定部は、前記検知部により検知された前記像が前記条件を満たすか否かを判定し、
前記検知部により検知された前記像が前記条件を満たすと前記判定部が判定した場合に、前記区切れ目設定部は、前記指定範囲中、前記検知部により検知された前記像が前記条件を満たした時点を基準として前記区切れ目を設定することを特徴とする作業分析支援装置。
【請求項２】
作業の様子を撮影して得られる作業映像を、前記作業の構成要素毎に区切るための作業分析支援装置であって、
前記作業映像中の像を検知する検知部と、
該検知部により検知された前記像が、前記構成要素と対応する条件を満たすか否かを判定する判定部と、
前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、を有し、
前記検知部は、前記作業映像の中で同時に出現した複数の前記像を検知し、
前記判定部は、前記検知部により検知された複数の前記像の各々が前記条件を満たすか否かを判定し、
前記検知部により検知された複数の前記像のすべてが前記条件を満たすと前記判定部が判定した場合に、前記区切れ目設定部は、前記再生期間中、前記検知部により検知された複数の前記像のすべてが前記条件を満たした時点を基準として、前記区切れ目を設定することを特徴とする作業分析支援装置。
【請求項３】
前記検知部は、前記像として、前記作業映像の中に映り込んだ文字、記号又はパターンを検知することを特徴とする請求項１又は２に記載の作業分析支援装置。
【請求項４】
前記判定部は、前記検知部により検知された前記像が前記構成要素と対応付けられて登録されたものであるか否かを判定し、
前記検知部により検知された前記像が前記構成要素と対応付けられて登録されたものであると前記判定部が判定した場合に、前記区切れ目設定部は、前記再生期間中、前記検知部により検知された前記像の出現時点を基準として前記区切れ目を設定することを特徴とする請求項１乃至３のいずれか一項に記載の作業分析支援装置。
【請求項５】
前記判定部は、前記検知部により検知された前記像が前記構成要素と対応付けられて登録されたものであり、かつ、前記作業映像における前記像の出現位置が前記構成要素と対応付けられて決められた位置であるか否かを判定し、
前記検知部により検知された前記像が前記構成要素と対応付けられて登録されたものであり、かつ、前記出現位置が前記構成要素と対応付けられて決められた位置であると前記判定部が判定した場合に、前記区切れ目設定部は、前記再生期間中、前記検知部により検知された前記像が前記出現位置に出現した時点を基準として前記区切れ目を設定することを特徴とする請求項１乃至３のいずれか一項に記載の作業分析支援装置。
【請求項６】
前記検知部は、前記像として、前記作業映像中に映り込んだ文字を検知し、
前記判定部は、前記検知部により検知された前記文字が前記条件を満たすか否かを判定し、
前記検知部により検知された前記文字が前記条件を満たすと前記判定部が判定した場合に、処理対象データに対して、該処理対象データが示す文字情報中に前記検知部により検知された前記文字を組み込むための処理を施す処理実行部を有することを特徴とする請求項１乃至５のいずれか一項に記載の作業分析支援装置。
【請求項７】
コンピュータにより、作業の様子を撮影して得られる作業映像を、前記作業の構成要素毎に区切る作業分析支援方法であって、
コンピュータが、前記作業映像中に出現した像を検知する検知ステップと、
コンピュータが、前記検知ステップにて検知された前記像が前記構成要素と対応する条件を満たすか否かを判定する判定ステップと、
前記検知ステップにて検知された前記像が前記条件を満たすと前記判定ステップにおいて判定した場合に、コンピュータが、前記作業映像の再生期間中、前記検知ステップにて検知された前記像が前記条件を満たした時点を基準として、前記作業映像の区切れ目を設定する区切れ目設定ステップと、
コンピュータが、前記作業映像の再生期間のうち、ユーザによって設定された指定範囲を記憶する範囲記憶ステップと、を有し、
前記検知ステップにおいて、コンピュータが、前記作業映像のうち、前記範囲記憶ステップで記憶された前記指定範囲内で再生される部分映像中の前記像を検知し、
前記判定ステップにおいて、コンピュータが、前記検知ステップにおいて検知された前記像が前記条件を満たすか否かを判定し、
前記検知ステップにて検知された前記像が前記条件を満たすとコンピュータが判定した場合に、コンピュータが前記区切れ目設定ステップにおいて、前記指定範囲中、前記検知ステップにて検知された前記像が前記条件を満たした時点を基準として前記区切れ目を設定することを特徴とする作業分析支援方法。
【請求項８】
コンピュータにより、作業の様子を撮影して得られる作業映像を、前記作業の構成要素毎に区切る作業分析支援方法であって、
コンピュータが、前記作業映像中に出現した像を検知する検知ステップと、
コンピュータが、前記検知ステップにて検知された前記像が前記構成要素と対応する条件を満たすか否かを判定する判定ステップと、
前記検知ステップにて検知された前記像が前記条件を満たすと前記判定ステップにおいて判定した場合に、コンピュータが、前記作業映像の再生期間中、前記検知ステップにて検知された前記像が前記条件を満たした時点を基準として、前記作業映像の区切れ目を設定する区切れ目設定ステップと、を有し、
コンピュータが、前記検知ステップにて前記作業映像の中で同時に出現した複数の前記像を検知し、
コンピュータが、前記検知ステップにて検知された複数の前記像の各々が前記条件を満たすか否かを判定し、
前記検知ステップにて検知された複数の前記像のすべてが前記条件を満たすと、コンピュータが判定した場合に、コンピュータが前記区切れ目設定ステップにおいて、前記再生期間中、前記検知ステップにて検知された複数の前記像のすべてが前記条件を満たした時点を基準として、前記区切れ目を設定することを特徴とする作業分析支援方法。
【請求項９】
コンピュータによって読み取られて実行されるコンピュータプログラムであって、
前記コンピュータを、
作業の様子を撮影して得られる作業映像を、前記作業の構成要素毎に区切るための作業分析支援装置であって、
前記作業映像中の像を検知する検知部と、
該検知部により検知された前記像が、前記構成要素と対応する条件を満たすか否かを判定する判定部と、
前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、
前記作業映像の再生期間のうち、ユーザによって指定された指定範囲を記憶する範囲記憶部と、を有する作業分析支援装置として機能させ、
前記検知部により、前記作業映像のうち、前記範囲記憶部に記憶された前記指定範囲内で再生される部分映像中の前記像を検知させ、
前記判定部により、前記検知部により検知された前記像が前記条件を満たすか否かを判定させ、
前記検知部により検知された前記像が前記条件を満たすと前記判定部が判定した場合に、前記区切れ目設定部により、前記指定範囲中、前記検知部により検知された前記像が前記条件を満たした時点を基準として前記区切れ目を設定させることを特徴とするコンピュータプログラム。
【請求項１０】
コンピュータによって読み取られて実行されるコンピュータプログラムであって、
前記コンピュータを、
作業の様子を撮影して得られる作業映像を、前記作業の構成要素毎に区切るための作業分析支援装置であって、
前記作業映像中の像を検知する検知部と、
該検知部により検知された前記像が、前記構成要素と対応する条件を満たすか否かを判定する判定部と、
前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、を有する作業分析支援装置として機能させ、
前記検知部により、前記作業映像の中で同時に出現した複数の前記像を検知させ、
前記判定部により、前記検知部により検知された複数の前記像の各々が前記条件を満たすか否かを判定させ、
前記検知部により検知された複数の前記像のすべてが前記条件を満たすと前記判定部が判定した場合に、前記区切れ目設定部により、前記再生期間中、前記検知部により検知された複数の前記像のすべてが前記条件を満たした時点を基準として、前記区切れ目を設定させることを特徴とするコンピュータプログラム。
【請求項１１】
前記検知部により、前記像として、前記作業映像の中に映り込んだ文字、記号又はパターンを検知させることを特徴とする請求項９又は１０に記載のコンピュータプログラム。
【請求項１２】
前記判定部により、前記検知部により検知された前記像が前記構成要素と対応付けられて登録されたものであるか否かを判定させ、
前記検知部により検知された前記像が前記構成要素と対応付けられて登録されたものであると前記判定部が判定した場合に、前記区切れ目設定部により、前記再生期間中、前記検知部により検知された前記像の出現時点を基準として前記区切れ目を設定させることを特徴とする請求項９乃至１１のいずれか一項に記載のコンピュータプログラム。
【請求項１３】
前記判定部により、前記検知部により検知された前記像が前記構成要素と対応付けられて登録されたものであり、かつ、前記作業映像における前記像の出現位置が前記構成要素と対応付けられて決められた位置であるか否かを判定させ、
前記検知部により検知された前記像が前記構成要素と対応付けられて登録されたものであり、かつ、前記出現位置が前記構成要素と対応付けられて決められた位置であると前記判定部が判定した場合に、前記区切れ目設定部により、前記再生期間中、前記検知部により検知された前記像が前記出現位置に出現した時点を基準として前記区切れ目を設定させることを特徴とする請求項９乃至１１のいずれか一項に記載のコンピュータプログラム。
【請求項１４】
前記コンピュータを、処理対象データに対して処理を施す処理実行部を更に有する前記作業分析支援装置として機能させ、
前記検知部により、前記像として、前記作業映像中に映り込んだ文字を検知し、
前記判定部により、前記検知部により検知された前記文字が前記条件を満たすか否かを判定し、
前記検知部により検知された前記文字が前記条件を満たすと前記判定部が判定した場合に、前記処理実行部により、前記処理対象データに対して、該処理対象データが示す文字情報中に前記検知部により検知された前記文字を組み込むための処理を実行させることを特徴とする請求項９乃至１３のいずれか一項に記載のコンピュータプログラム。
【発明の詳細な説明】
【技術分野】
【０００１】
本発明は、作業分析支援装置、作業分析支援方法及びコンピュータプログラムに係り、特に、作業の様子を撮影して得られる作業映像を当該作業の構成要素毎に区切るために用いられる作業分析支援装置、作業分析支援方法及びコンピュータプログラムに関する。
【背景技術】
【０００２】
工程管理における作業分析は、例えば、ある作業の様子を撮影した映像（作業映像）を分析することにより行われる。具体的に説明すると、ある作業が複数の工程や動作によって構成されている場合、その作業映像を工程毎あるいは動作毎に区切る。そして、区切られた各映像を分析することで、作業を構成する各工程や各動作の所要時間等を算出したり、その算出結果を工程間（動作間）で比較したりする。
【０００３】
映像中の区切れ目を設定する方法について説明すると、従来の作業分析では、分析者が作業映像を見ながら当該映像中の区切れ目を定め、その時点で映像を停止する等の操作を行うことになっていた。しかしながら、このような方法では、分析者に負担が掛かるとともに、区切れ目の設定精度（区切れ目が正しいタイミングにて設定されているか否か）が分析者の技量に依存することになる。
【０００４】
一方、近年では、映像中の区切れ目を自動的に設定する技術が開発されてきている。一例を挙げて説明すると、特許文献１に記載の装置（映像分割装置）では、ＯＣＲ（Ｏｐｔｉｃａｌ Ｃｈａｒａｃｔｅｒ Ｒｅｃｏｇｎｉｔｉｏｎ）を用いた文字認識機能によって映像中の一シーンを自動的に区切ることとしている。
【０００５】
より具体的に説明すると、特許文献１に記載の装置では、５秒間隔で取得した映像フレームのそれぞれにおいてテロップ領域を検出し、当該テロップ領域内に表示されている文字列をＯＣＲにて認識する。そして、１２フレーム以上（１分以上）に亘って同じ文字列が認識され続けた場合、その区間を一つのシーンとすることで映像の区切りを行っている。
【先行技術文献】
【特許文献】
【０００６】
【特許文献１】特開２０１３−２２９７３４号公報
【発明の概要】
【発明が解決しようとする課題】
【０００７】
ただし、特許文献１では、シーンの区切れ目を設定するにあたり、映像フレーム中のテロップ領域に同じ文字列が所定時間以上表示されたことを確認した上で、その区間の開始時点及び終了時点を特定することになる。つまり、特許文献１では、映像フレーム中のテロップ領域に同じ文字列が所定時間以上表示された後、当該文字列の表示開始時点まで遡って区切れ目を設定すると共に、当該文字列の表示終了時点まで時間を進めて区切れ目を設定することになる。
【０００８】
一方で、作業映像を区切る際には、一般的に、作業を構成する工程や動作の開始時点や終了時点で区切れ目を設定することになる。つまり、作業映像の再生期間の中で区切れ目を設定する際には、当該再生期間中、工程や動作の開始時点や終了時点に相当する時点を特定し、その時点を基準として区切れ目を設定することになる。その場合、特許文献１のように作業映像の再生期間中、特定の文字列が表示されている範囲を特定するのではなく、区切れ目を設定すべき時点（瞬間）を適切に特定する必要がある。
【０００９】
そこで、本発明は、上記の問題に鑑みてなされたものであり、その目的は、作業映像を当該作業の構成要素毎に区切る際に適切に区切れ目を設定することが可能な作業分析支援装置、コンピュータを用いた作業分析支援方法、及び、作業分析支援装置を実現するためのコンピュータプログラムを提供することである。
【課題を解決するための手段】
【００１０】
前記課題は、本発明の作業分析支援装置によれば、作業の様子を撮影して得られる作業映像を、前記作業の構成要素毎に区切るための作業分析支援装置であって、（Ａ）前記作業映像中の像を検知する検知部と、（Ｂ）該検知部により検知された前記像が、前記構成要素と対応する条件を満たすか否かを判定する判定部と、（Ｃ）前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、前記作業映像の再生期間のうち、ユーザによって指定された指定範囲を記憶する範囲記憶部と、を有し、前記検知部は、前記作業映像のうち、前記範囲記憶部に記憶された前記指定範囲内で再生される部分映像中の前記像を検知し、前記判定部は、前記検知部により検知された前記像が前記条件を満たすか否かを判定し、前記検知部により検知された前記像が前記条件を満たすと前記判定部が判定した場合に、前記区切れ目設定部は、前記指定範囲中、前記検知部により検知された前記像が前記条件を満たした時点を基準として前記区切れ目を設定することにより解決される。
上記のように構成された本発明の作業分析支援装置では、作業映像中の像を検知し、作業映像の再生期間中、当該像が作業の構成要素と対応する条件を満たした時点を基準として作業映像の区切れ目を設定する。つまり、本発明の作業分析支援装置では、作業映像中の像を手掛かりとして区切れ目に相当する時点を特定し、その時点を基準として作業映像の区切れ目を設定する。この結果、区切れ目を適切に設定し、作業映像を当該作業の構成要素毎に適切に区切ることが可能となる。
また、上記の構成では、作業映像の再生期間中、ユーザにより指定された範囲（指定範囲）内に映る像を手掛かりとして区切れ目に相当する時点を特定し、その時点を基準として作業映像の区切れ目を設定する。すなわち、上記の実施形態では、ユーザが指定した範囲内で区切れ目を設定するため、区切れ目の設定を効率よく行うことが可能となる。
【００１１】
前記課題は、本発明の作業分析支援装置によれば、作業の様子を撮影して得られる作業映像を、前記作業の構成要素毎に区切るための作業分析支援装置であって、前記作業映像中の像を検知する検知部と、該検知部により検知された前記像が、前記構成要素と対応する条件を満たすか否かを判定する判定部と、前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、を有し、前記検知部は、前記作業映像の中で同時に出現した複数の前記像を検知し、前記判定部は、前記検知部により検知された複数の前記像の各々が前記条件を満たすか否かを判定し、前記検知部により検知された複数の前記像のすべてが前記条件を満たすと前記判定部が判定した場合に、前記区切れ目設定部は、前記再生期間中、前記検知部により検知された複数の前記像のすべてが前記条件を満たした時点を基準として、前記区切れ目を設定することにより解決される。
上記のように構成された本発明の作業分析支援装置では、作業映像中の像を検知し、作業映像の再生期間中、当該像が作業の構成要素と対応する条件を満たした時点を基準として作業映像の区切れ目を設定する。つまり、本発明の作業分析支援装置では、作業映像中の像を手掛かりとして区切れ目に相当する時点を特定し、その時点を基準として作業映像の区切れ目を設定する。この結果、区切れ目を適切に設定し、作業映像を当該作業の構成要素毎に適切に区切ることが可能となる。
また、上記の構成では、作業映像中に映り込む複数の像を手掛かりとして区切れ目に相当する時点を特定し、その時点を基準として作業映像の区切れ目を設定する。これにより、区切れ目の設定精度を向上させることが可能となる。
【００１２】
また、上記の構成において、前記検知部は、前記像として、前記作業映像の中に映り込んだ文字、記号又はパターンを検知するとよい。
上記の構成では、作業中に映り込んだ文字、記号又はパターンを手掛かりとして区切れ目に相当する時点を特定し、その時点を基準として作業映像の区切れ目を設定するようになる。
【００１３】
また、上記の構成において、前記判定部は、前記検知部により検知された前記像が前記構成要素と対応付けられて登録されたものであるか否かを判定し、前記検知部により検知された前記像が前記構成要素と対応付けられて登録されたものであると前記判定部が判定した場合に、前記区切れ目設定部は、前記再生期間中、前記検知部により検知された前記像の出現時点を基準として前記区切れ目を設定するとよい。
上記の構成では、予め登録された像が作業映像中に出現した時点を基準として作業映像の区切れ目を設定する。この際、登録されている像が作業の構成要素と関連付けられていれば、より適切に作業映像を構成要素毎に区切ることが可能となる。
【００１４】
また、上記の構成において、前記判定部は、前記検知部により検知された前記像が前記構成要素と対応付けられて登録されたものであり、かつ、前記作業映像における前記像の出現位置が前記構成要素と対応付けられて決められた位置であるか否かを判定し、前記検知部により検知された前記像が前記構成要素と対応付けられて登録されたものであり、かつ、前記出現位置が前記構成要素と対応付けられて決められた位置であると前記判定部が判定した場合に、前記区切れ目設定部は、前記再生期間中、前記検知部により検知された前記像が前記出現位置に出現した時点を基準として前記区切れ目を設定するとよい。
上記の構成では、予め登録された像が作業映像中の所定位置に出現した時点を基準として作業映像の区切れ目を設定する。この際、登録されている像及び当該像の出現位置が作業の構成要素と関連付けられていれば、より適切に作業映像を構成要素毎に区切ることが可能となる。
【００１７】
また、上記の構成において、前記検知部は、前記像として、前記作業映像中に映り込んだ文字を検知し、前記判定部は、前記検知部により検知された前記文字が前記条件を満たすか否かを判定し、前記検知部により検知された前記文字が前記条件を満たすと前記判定部が判定した場合に、処理対象データに対して、該処理対象データが示す文字情報中に前記検知部により検知された前記文字を組み込むための処理を施す処理実行部を有するとよい。
上記の構成では、作業映像中に映り込んだ文字のうち、作業の構成要素と対応付けられた条件を満たす文字が文字入力支援用に用いられ、具体的には、当該文字情報中に組み込まれる。これにより、文字入力作業の省力化を図ることが可能となる。
【００１８】
また、前述の課題は、本発明の作業分析支援方法によれば、コンピュータにより、作業の様子を撮影して得られる作業映像を、前記作業の構成要素毎に区切る作業分析支援方法であって、（Ａ）コンピュータが、前記作業映像中に出現した像を検知する検知ステップと、（Ｂ）コンピュータが、前記検知ステップにて検知された前記像が前記構成要素と対応する条件を満たすか否かを判定する判定ステップと、（Ｃ）前記検知ステップにて検知された前記像が前記条件を満たすと前記判定ステップにおいて判定した場合に、コンピュータが、前記作業映像の再生期間中、前記検知ステップにて検知された前記像が前記条件を満たした時点を基準として、前記作業映像の区切れ目を設定する区切れ目設定ステップと、コンピュータが、前記作業映像の再生期間のうち、ユーザによって設定された指定範囲を記憶する範囲記憶ステップと、を有し、前記検知ステップにおいて、コンピュータが、前記作業映像のうち、前記範囲記憶ステップで記憶された前記指定範囲内で再生される部分映像中の前記像を検知し、前記判定ステップにおいて、コンピュータが、前記検知ステップにおいて検知された前記像が前記条件を満たすか否かを判定し、前記検知ステップにて検知された前記像が前記条件を満たすとコンピュータが判定した場合に、コンピュータが前記区切れ目設定ステップにおいて、前記指定範囲中、前記検知ステップにて検知された前記像が前記条件を満たした時点を基準として前記区切れ目を設定することにより解決される。
また、前述の課題は、本発明の作業分析支援方法によれば、コンピュータにより、作業の様子を撮影して得られる作業映像を、前記作業の構成要素毎に区切る作業分析支援方法であって、コンピュータが、前記作業映像中に出現した像を検知する検知ステップと、コンピュータが、前記検知ステップにて検知された前記像が前記構成要素と対応する条件を満たすか否かを判定する判定ステップと、前記検知ステップにて検知された前記像が前記条件を満たすと前記判定ステップにおいて判定した場合に、コンピュータが、前記作業映像の再生期間中、前記検知ステップにて検知された前記像が前記条件を満たした時点を基準として、前記作業映像の区切れ目を設定する区切れ目設定ステップと、を有し、コンピュータが、前記検知ステップにて前記作業映像の中で同時に出現した複数の前記像を検知し、コンピュータが、前記検知ステップにて検知された複数の前記像の各々が前記条件を満たすか否かを判定し、前記検知ステップにて検知された複数の前記像のすべてが前記条件を満たすと、コンピュータが判定した場合に、コンピュータが前記区切れ目設定ステップにおいて、前記再生期間中、前記検知ステップにて検知された複数の前記像のすべてが前記条件を満たした時点を基準として、前記区切れ目を設定することにより解決される。
上記の作業分析支援方法によれば、作業映像の区切れ目を適切に設定し、作業映像を当該作業の構成要素毎に適切に区切ることが可能となる。
【００１９】
また、前述の課題は、本発明のコンピュータプログラムによれば、コンピュータによって読み取られて実行されるコンピュータプログラムであって、前記コンピュータを、作業の様子を撮影して得られる作業映像を、前記作業の構成要素毎に区切るための作業分析支援装置であって、前記作業映像中の像を検知する検知部と、該検知部により検知された前記像が、前記構成要素と対応する条件を満たすか否かを判定する判定部と、前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、前記作業映像の再生期間のうち、ユーザによって指定された指定範囲を記憶する範囲記憶部と、を有する作業分析支援装置として機能させ、前記検知部により、前記作業映像のうち、前記範囲記憶部に記憶された前記指定範囲内で再生される部分映像中の前記像を検知させ、前記判定部により、前記検知部により検知された前記像が前記条件を満たすか否かを判定させ、前記検知部により検知された前記像が前記条件を満たすと前記判定部が判定した場合に、前記区切れ目設定部により、前記指定範囲中、前記検知部により検知された前記像が前記条件を満たした時点を基準として前記区切れ目を設定させることにより解決される。
また、前述の課題は、本発明のコンピュータプログラムによれば、コンピュータによって読み取られて実行されるコンピュータプログラムであって、前記コンピュータを、作業の様子を撮影して得られる作業映像を、前記作業の構成要素毎に区切るための作業分析支援装置であって、前記作業映像中の像を検知する検知部と、該検知部により検知された前記像が、前記構成要素と対応する条件を満たすか否かを判定する判定部と、前記検知部により検知された前記像が前記条件を満たすと前記判定部が判定した場合に、前記作業映像の再生期間中、前記検知部により検知された前記像が前記条件を満たした時点を基準として、前記作業映像の区切れ目を設定する区切れ目設定部と、を有する作業分析支援装置として機能させ、前記検知部により、前記作業映像の中で同時に出現した複数の前記像を検知させ、前記判定部により、前記検知部により検知された複数の前記像の各々が前記条件を満たすか否かを判定させ、前記検知部により検知された複数の前記像のすべてが前記条件を満たすと前記判定部が判定した場合に、前記区切れ目設定部により、前記再生期間中、前記検知部により検知された複数の前記像のすべてが前記条件を満たした時点を基準として、前記区切れ目を設定させることにより解決される。
上記のコンピュータプログラムを用いることにより、作業映像の区切れ目を適切に設定し、作業映像を当該作業の構成要素毎に適切に区切ることが可能となる。
【００２０】
また、上記のコンピュータプログラムについては、前記検知部により、前記像として、前記作業映像の中に映り込んだ文字、記号又はパターンを検知させてもよい。
また、上記のコンピュータプログラムについては、前記判定部により、前記検知部により検知された前記像が前記構成要素と対応付けられて登録されたものであるか否かを判定させ、前記検知部により検知された前記像が前記構成要素と対応付けられて登録されたものであると前記判定部が判定した場合に、前記区切れ目設定部により、前記再生期間中、前記検知部により検知された前記像の出現時点を基準として前記区切れ目を設定させてもよい。
また、上記のコンピュータプログラムについては、前記判定部により、前記検知部により検知された前記像が前記構成要素と対応付けられて登録されたものであり、かつ、前記作業映像における前記像の出現位置が前記構成要素と対応付けられて決められた位置であるか否かを判定させ、前記検知部により検知された前記像が前記構成要素と対応付けられて登録されたものであり、かつ、前記出現位置が前記構成要素と対応付けられて決められた位置であると前記判定部が判定した場合に、前記区切れ目設定部により、前記再生期間中、前記検知部により検知された前記像が前記出現位置に出現した時点を基準として前記区切れ目を設定させてもよい。
また、上記のコンピュータプログラムについては、前記コンピュータを、処理対象データに対して処理を施す処理実行部を更に有する前記作業分析支援装置として機能させ、前記検知部により、前記像として、前記作業映像中に映り込んだ文字を検知し、前記判定部により、前記検知部により検知された前記文字が前記条件を満たすか否かを判定し、前記検知部により検知された前記文字が前記条件を満たすと前記判定部が判定した場合に、前記処理実行部により、前記処理対象データに対して、該処理対象データが示す文字情報中に前記検知部により検知された前記文字を組み込むための処理を実行させてもよい。
【発明の効果】
【００２１】
本発明によれば、作業映像の区切れ目を適切に設定し、作業映像を当該作業の構成要素毎に適切に区切ることが可能となる。
【図面の簡単な説明】
【００２２】
【図１】作業分析画面の一例を示す図である。
【図２】本発明の一実施形態に係る作業分析支援装置のハードウェア構成を示す図である。
【図３】本発明の一実施形態に係る作業分析支援装置の機能を示す図である。
【図４】第一例に係る区切れ目設定処理の流れを示す図である。
【図５】第一例において区切れ目設定条件として登録された文字を示す図である。
【図６】第二例に係る区切れ目設定処理の流れを示す図である。
【図７】第二例に係る区切れ目設定条件についての説明図である。
【図８】第三例に係る区切れ目設定処理の流れを示す図である。
【図９】第三例において検知される文字についての説明図である。
【図１０】第三例において区切れ目設定条件として登録された文字の組み合わせを示す図である。
【図１１】第四例に係る区切れ目設定処理の流れを示す図である。
【図１２】図１２の（Ａ）及び（Ｂ）は、第四例に係る区切れ目設定条件についての説明図である。
【発明を実施するための形態】
【００２３】
以下、本発明の一実施形態（本実施形態）について説明する。なお、以下に説明する実施形態は、本発明の理解を容易にするための一例であり、本発明を限定するものではない。つまり、本発明は、その趣旨を逸脱することなく、変更、改良され得ると共に、本発明にその等価物が含まれることは勿論である。
【００２４】
＜＜本実施形態に係る作業分析支援装置の概要＞＞
先ず、本実施形態に係る作業分析支援装置（以下、本装置１０）の概要を説明する。本装置１０は、作業映像を用いて作業分析を行う際の支援ツールとして用いられるコンピュータである。具体的に説明すると、本装置１０は、ある作業の作業映像を工程毎に区切る機能を有している。本装置１０のユーザである分析者は、工程毎に区切れられた作業映像（すなわち、工程別の映像）に基づき、各工程の所要時間や作業効率等を把握することが可能となる。
【００２５】
なお、本実施形態において、「作業映像」は、ある作業の様子を不図示のカメラにて撮影して得られる映像（動画）を意味する。また、「作業」は、一連の流れに従って行われる複数の所作（動作）によって構成されるものである。また、「工程」は、作業の構成要素に相当し、通常、１つの作業中には複数の工程が含まれている。
【００２６】
ちなみに、作業の構成要素について付言すると、当該構成要素は、階層的に分類されており、具体的には「工程」、「単位作業」、「要素作業」、「単位動作」及び「要素動作」という階層に分けられる。本実施形態では、１番目の階層である「単位作業」にて作業映像を区切ることとするが、これに限定されず、より下位の階層まで細分化されるように作業映像を区切ってもよい。
【００２７】
本装置１０は、作業映像を工程毎に区切るにあたり、作業映像中に区切れ目を設定する。ここで、「区切れ目」は、作業映像の再生期間中、工程の開始時点又は終了時点に相当する時点に設定される。なお、本実施形態では、ある工程の終了時点がその直後の工程の開始時点と一致している。すなわち、本実施形態では、ある工程の終了時点として設定された区切れ目は、その直後の工程の開始時点を示す区切れ目を兼ねることになる。ただし、これに限定されるものではなく、ある工程の終了時点と、その直後の工程開始時点とが互いに異なるタイミングであり、それぞれの時点が別々の区切れ目として設定されてもよい。
【００２８】
また、本実施形態において、本装置１０は、作業映像中の文字を認識し、その認識結果に基づいて作業映像の区切れ目を自動的に設定する機能を有している。かかる機能については、後に詳しく説明する。
【００２９】
＜＜本実施形態に係る作業分析支援装置を用いた作業分析＞＞
次に、本装置１０を用いた作業分析について説明する。本装置１０を用いた作業分析において、本装置１０は、区切れ目設定処理を実行する。この区切れ目設定処理では、分析対象とする作業の映像（作業映像）中の区切れ目を設定し、これにより、当該作業映像が工程毎に区切られるようになる。なお、区切れ目設定処理では、本発明の作業分析支援方法が採用されている。すなわち、区切れ目設定処理中の各ステップ（詳しくは後述する）は、本発明の作業分析支援方法を構成するものである。
【００３０】
ところで、本装置１０を用いた作業分析の際には、図１に図示した作業分析画面がＧＵＩ（Ｇｒａｐｈｉｃａｌ Ｕｓｅｒ Ｉｎｔｅｒｆａｃｅ）として表示される。図１は、作業分析画面の一例を示す図である。なお、図１に図示の作業分析画面は、あくまでも一例であり、その画面デザインやレイアウト、画面中に表示される情報等については、製品仕様やユーザの好み等に応じて適宜変更可能である。
【００３１】
作業分析画面は、分析者が本装置１０の入力装置４を通じて所定の操作（具体的には、後述する作業分析支援プログラムを起動するための操作）を行うと、本装置１０のディスプレイ５に描画される。作業分析画面の画面構成について図１を参照しながら説明すると、画面左側には映像再生領域Ｓ１が設けられている。この映像再生領域Ｓ１には、分析対象の作業の様子を記録した作業映像が表示される。なお、映像再生領域Ｓ１の右上には、作業映像の撮影開始時からの経過時点が表示されている。また、映像再生領域Ｓ１の下方位置には、映像再生に関する各種の操作ボタンＢ１〜Ｂ４、再生バーＰＢ及び範囲指定カーソルＣＲ１、ＣＲ２が配置されている。
【００３２】
作業分析画面の右側には、図１に示すように動作リスト領域Ｓ２が設けられている。この動作リスト領域Ｓ２には、区切れ目にて作業映像を区切った際の区切れ目間の範囲（以下、動作と呼ぶ）のレコードが表示されている。各動作のレコードには、動作番号、動作の内容、該当する工程、該当する単位作業、開始時点及び終了時点が収録されている。ただし、各動作のレコードに収録される情報については上記の情報に限定されるものではなく、上記以外の情報（例えば、各動作の所要時間等）が含まれてもよい。
【００３３】
動作番号は、各動作に対して割り当てられた番号であり、最初の動作から順に大きくなるように割り当てられる。動作の内容は、何を行っている動作であるのかを示した文字情報であり、本装置１０の入力装置４を通じて入力される。該当する工程は、各動作が分析対象の作業のうち、何れの工程に属するのかを示している。開始時点は、各動作の開始時点であり、厳密には、ある工程の開始時点に相当する区切れ目が設定された時点である。終了時点は、各動作の終了時点であり、厳密には、ある工程の終了時点に相当する区切れ目が設定された時点である。なお、各動作のレコードでは、当該各動作の開始時点及び終了時点が、いずれも作業映像の撮影開始時からの経過時間によって表されている。
【００３４】
作業分析画面において、動作リスト領域Ｓ２の下側には、コメント入力領域Ｓ３が設けられている。このコメント入力領域Ｓ３には、動作リスト領域Ｓ２にレコードが表示されている各動作に対するコメント（付記情報）が入力される。コメントとして入力される文字情報には、本装置１０の入力装置４を通じてユーザにより入力された文字の他、本装置１０が文字認識機能によって作業映像中から自動的に抽出した文字（すなわち、作業映像中に映り込んだ文字）が含まれている。このように本装置１０は、文字入力支援機能を備えており、上述したように、作業映像中に映り込んだ文字をコメント入力領域Ｓ３へ自動入力することが可能である。
【００３５】
以上のように構成された作業分析画面を通じて作業分析が行われ、その中で区切れ目設定処理が実行される。具体的に説明すると、作業分析画面中の映像再生領域Ｓ１に、分析対象の作業の映像（作業映像）が表示されると、その再生期間中において本装置１０が当該作業映像の区切れ目を設定する。この際、本装置１０は、文字認識機能を用いて自動的に区切れ目を設定する。そして、区切れ目が設定される都度、作業分析画面中の動作リスト領域Ｓ２に新たな動作レコードが生成される。また、本装置１０は、各動作に対するコメントとしての文字が入力装置４を通じて入力されると、その文字情報をコメント入力領域Ｓ３に表示させる。この際、本装置１０は、文字入力支援機能により、作業映像中に映り込んだ文字列を併せてコメント入力領域Ｓ３に表示させることが可能である。
【００３６】
そして、作業分析の結果については、データ化されて本装置１０内の記憶機器（具体的には、ハードディスクドライブ３）に記憶される。この作業分析結果を示すデータは、本発明の処理対象データに相当し、具体的には、区切れ目の設定箇所、動作レコードに収録された各動作に関する情報、及び、コメント入力領域Ｓ３に入力された文字情報を示すデータである。
【００３７】
＜＜本実施形態に係る作業分析支援装置の構成及び機能＞＞
次に、本装置１０の構成について説明する。本装置１０は、コンピュータによって構成され、例えばパソコンによって構成されている。ただし、これに限定されるものではなく、本装置１０がネットワーク上のサーバコンピュータによって構成されてもよい。すなわち、サーバコンピュータが本装置１０の機能を備え、当該機能を利用するためのサービス（ＡＳＰサービスやクラウドサービス）を提供し、スマートフォンやタブレット等のクライアント端末でそのサービスを利用する構成であってもよい。
【００３８】
本装置１０は、図２に示すように一般的なパソコンの構成機器を有し、具体的にはＣＰＵ１、メモリ２、ハードディスクドライブ３（図２では、ＨＤＤと表記）、キーボードやマウス等の入力装置４、ディスプレイ５及びスピーカ６を有する。図２は、本装置１０の構成を示す図であり、厳密には、本装置１０を構成するパソコンのハードウェア構成を示している。
【００３９】
また、ハードディスクドライブ３には、パソコンを本装置１０として機能させるためのコンピュータプログラム（以下、作業分析支援プログラム）が格納されている。この作業分析支援プログラムは、本発明のコンピュータプログラムに相当する。そして、作業分析支援プログラムがＣＰＵ１によって読み出されて実行されることで、本装置１０を構成するパソコンは、本装置１０の機能を発揮し、例えば前述した区切れ目設定処理を実行する。
【００４０】
次に、本装置１０の機能について説明する。本装置１０は、図３に図示された複数の機能部、具体的には映像再生部１１、範囲記憶部１２、検知部１３、判定部１４、条件記憶部１５、区切れ目設定部１６、入力処理実行部１７及び特定部１８を有する。図３は、本装置１０の構成を機能面から示した図である。
【００４１】
上述した各機能部は、本装置１０を構成するパソコンのハードウェア機器と作業分析支援プログラムとが協働することで実現される。以下、各機能部について説明する。
【００４２】
（映像再生部１１）
映像再生部１１は、分析対象となる作業の映像を示す映像データ（具体的には動画ファイル）を読み出し、当該データが示す映像を再生してディスプレイ５に表示させる。なお、作業分析において、映像再生部１１によって再生される映像は、作業分析画面中の映像再生領域Ｓ１に表示されることになっている。
【００４３】
（範囲記憶部１２）
範囲記憶部１２は、分析対象となる作業の作業映像の再生期間のうち、分析者によって指定された指定範囲を記憶する。具体的に説明すると、分析者は、作業映像中の一部の範囲の映像のみを表示させる場合、作業分析画面を通じて当該範囲を指定する。より詳しく説明すると、作業分析画面中、映像再生領域Ｓ１の下部には、図１に示すように一対の範囲指定カーソルＣＲ１、ＣＲ２が設けられている。各々のカーソル位置は、指定範囲の端位置を示しており、より左側の範囲指定カーソルＣＲ１の位置は、指定範囲の開始位置を、より右側の範囲指定カーソルＣＲ２の位置は、指定範囲の終了位置を、それぞれ示している。また、各範囲指定カーソルＣＲ１、ＣＲ２は、再生バーＰＢ上でスライド移動することが可能である。そして、ユーザが再生バーＰＢの幅内（換言すると、作業映像の再生期間中の全期間内）でカーソル位置を変化させると、２つの範囲指定カーソルＣＲ１、ＣＲ２間の範囲が指定範囲として設定されるようになる。
【００４４】
範囲記憶部１２は、上述した要領で設定された指定範囲を記憶する。そして、範囲記憶部１２が指定範囲を記憶している場合、映像再生部１１は、作業映像の再生期間中、指定範囲の開始位置から終了位置までの映像を表示することになる。つまり、指定範囲が設定された場合には、作業映像の中から指定範囲の映像が抽出され、抽出した部分映像のみが映像再生領域Ｓ１に表示される。
【００４５】
（検知部１３）
検知部１３は、映像再生領域Ｓ１中に表示される作業映像に映り込んだ文字を検知する。より具体的に説明すると、検知部１３は、映像再生領域Ｓ１に表示されている作業映像中、所定領域に映り込んでいる文字を、公知のＯＣＲ技術を利用して検知する。ここで、検知される文字については、特に限定されるものではなく、例えば、作業実施中に提示される作業指示書や看板の文字、デジタル時計に表示される数字、作業員の名札に記載された氏名、作業具や製品に付された番号、作業実施中におけるディスプレイの表示内容（文字情報）等が挙げられる。また、検知される文字の構成については、単一の文字のみであってもよく、複数の文字からなる文字列であってもよい。
【００４６】
作業映像の再生期間中、当該作業映像中の所定領域に映り込む文字が変わる都度、検知部１３は、変化後の文字を検知する。また、検知部１３が同時に検知することが可能な文字については、一箇所に存する文字であってもよく、あるいは複数箇所に存する文字であってもよい。
【００４７】
また、範囲記憶部１２に指定範囲が記憶されている場合、検知部１３は、当該指定範囲内で再生される部分映像中の文字を検知する。つまり、指定範囲が設定された場合には、作業映像のうち、指定範囲の部分映像のみの中で文字を検知する。
【００４８】
（判定部１４）
判定部１４は、検知部１３により検知された文字が区切れ目設定条件を満たすか否かを判定する。「区切れ目設定条件」とは、区切れ目を設定するために定められた条件であり、作業を構成する各工程と対応付けられて定められている。
【００４９】
（条件記憶部１５）
条件記憶部１５は、前述の区切れ目設定条件を記憶している。なお、区切れ目設定条件について説明すると、工程と対応付けられた内容になっている。具体例を挙げて説明すると、区切れ目設定条件の一例としては、工程を特徴付ける文字として工程毎に登録された文字（以下、登録文字）が挙げられる。かかる例において、前述の判定部１４は、検知部１３により検知された文字がいずれかの工程と対応している登録文字であるか否かを判定する。
【００５０】
また、一つの工程に対して対応付けられる登録文字の個数や内容については、任意であり、互いに異なる複数の登録文字が対応付けられてもよい。かかる場合、判定部１４は、検知部１３により検知された複数の文字の各々が登録文字に該当し、かつ、その登録文字が同一の工程と対応付けられた文字であるか否かを判定する。
【００５１】
区切れ目設定条件の他例としては、上記の登録文字と、作業実施中における登録文字の正規の出現位置（以下、規定位置）との組み合わせが挙げられる。かかる例において、前述の判定部１４は、検知部１３により検知された文字がいずれかの工程と対応している登録文字であり、かつ、作業映像における当該文字の出現位置が規定位置であるか否かを判定する。なお、規定位置は、工程と対応付けられた位置として工程別に決められている。
【００５２】
（区切れ目設定部１６）
区切れ目設定部１６は、検知部１３による文字の検知結果と、判定部１４による判定結果と、に基づいて作業映像の区切れ目を自動的に設定する。具体的に説明すると、区切れ目設定部１６は、検知部１３によって検知された文字が区切れ目設定条件を満たすと判定部１４が判定した場合に、作業映像の再生期間中、検知部１３によって検知された文字が区切れ目設定条件を満たした時点を基準として区切れ目を設定する。また、検知部１３が複数の文字を検知し、検知された複数の文字すべてが区切れ目設定条件を満たすと判定部１４が判定した場合、区切れ目設定部１６は、検知された複数の文字すべてが区切れ目設定条件を満たした時点を基準として区切れ目を設定する。
【００５３】
このように区切れ目設定部１６によって作業映像の区切れ目が自動的に設定されることにより、分析者は、自ら作業映像を見ながら区切れ目に相当する時点を探索する手間を省略することができる。この結果、適切に、かつ容易に作業映像中の区切れ目が設定されることになる。
【００５４】
また、指定範囲が設定された場合において、検知部１３が当該指定範囲内で再生される部分映像中の文字を検知し、検知された文字が区切れ目設定条件を満たすと判定部１４が判定したとき、区切れ目設定部１６は、指定範囲中、検知された文字が区切れ目設定条件を満たした時点を基準として区切れ目を設定する。このように指定範囲内で区切れ目を設定すれば、区切れ目の設定を効率よく行うことが可能となる。
【００５５】
（入力処理実行部１７）
入力処理実行部１７は、処理実行処理部に相当し、検知部１３により検知された文字が区切れ目設定条件を満たすと判定部１４が判定した場合に、検知文字入力処理を実行する。検知文字入力処理とは、作業分析時に生成される作業分析結果データに対して施される処理である。「作業分析結果データ」とは、作業分析の結果を示すデータであり、具体的には、区切れ目の設定箇所、動作レコードに収録された各動作に関する情報、及び、作業分析画面中のコメント入力領域Ｓ３に入力された文字情報を示すデータである。そして、検知文字入力処理では、作業分析結果データが示す文字情報のうち、コメント入力領域Ｓ３の文字情報中に、検知部１３により検知された文字を自動的に組み込む。
【００５６】
図１に図示されたケースを例に挙げて説明すると、同図では、作業分析画面中の映像再生領域Ｓ１に表示されている映像中、所定の領域（具体的には、作業場に設置されたモニタ画面Ｑ１）内に『ＦＦＦ』という文字が出現している。検知部１３が文字『ＦＦＦ』を検知すると、かかる文字『ＦＦＦ』が区切れ目設定条件を満たしているか否かが判定部１４によって判定される。そして、文字『ＦＦＦ』が区切れ目設定条件を満たしていると判定部１４が判定したとき、入力処理実行部１７は、図１に示すように、文字『ＦＦＦ』をコメント入力領域Ｓ３に自動的に組み込む。
【００５７】
以上のような入力処理実行部１７による文字入力支援により、分析者がコメント入力領域Ｓ３に文字を入力する手間（労力）が軽減される。なお、本実施形態では、検知部１３により検知された文字を、作業分析画面中のコメント入力領域Ｓ３に自動入力することとしたが、これに限定されるものではない。つまり、検知部１３により検知された文字の入力先については任意に決めることができ、例えば、本装置１０にて他のアプリケーションプログラムを起動した際に表示される入力画面（入力ウィンドウ）中に入力してもよい。あるいは、検知部１３により検知された文字を、作業分析結果データのファイル名（文字情報）中に組み込んでもよい。
【００５８】
（特定部１８）
特定部１８は、検知部１３により検知された文字が区切れ目設定条件を満たすと判定部１４が判定した場合に、当該文字に基づいて各種の内容を特定する。具体的に説明すると、特定部１８は、検知部１３により検知された文字が満たす区切れ目設定条件と対応付けられている工程を特定する。これにより、検知部１３により検知された文字が区切れ目設定条件を満たした直後に行われる工程が、作業映像中のどの工程であるのかを特定することが可能となる。
【００５９】
また、特定部１８は、検知部１３により検知された文字が作業員の氏名を示すものであるとき、当該文字に基づいて、作業映像中に映り込んでいる作業員（厳密には、その作業員の識別ＩＤ）を特定することが可能である。
【００６０】
なお、特定部１８によって特定された内容（工程や作業員）については、作業分析結果データに反映され、例えば、当該作業分析結果データのファイル名に反映されてもよく、あるいは、同データが示す動作リストの各動作レコードが示す情報として組み込まれてもよい。
【００６１】
＜＜本実施形態に係る作業分析支援装置の動作例＞＞
次に、本装置１０の動作例として、前述の区切れ目設定処理の手順を説明する。なお、以下では４つの例（第一例〜第四例）を挙げ、それぞれの例における区切れ目設定処理の流れについて説明することとする。
【００６２】
（第一例について）
第一例における区切れ目設定処理では、作業映像中に映し出された文字が登録文字であるときに、当該文字の出現時点を基準として区切れ目を設定する。かかる内容について詳しく説明するため、以下では、６つの工程Ａ〜Ｆによって構成された作業Ｐの作業映像に対して区切れ目を設定する場面を例に挙げて説明する。
【００６３】
第一例において、区切れ目設定処理は、図４に示す流れに従って進行する。図４は、第一例に係る区切れ目設定処理の流れを示す図である。具体的に説明すると、第一例に係る区切れ目設定処理では、先ず、分析対象とする作業Ｐの作業映像が再生されて作業分析画面中の映像再生領域Ｓ１に表示されるようになる（Ｓ００１）。この際、指定範囲が指定されていれば（すなわち、範囲記憶部１２に指定範囲が記録されていれば）、当該指定範囲の部分映像が映像再生領域Ｓ１に表示されることとなる。
【００６４】
その後、映像再生領域Ｓ１に表示されている映像中の所定領域内に文字が映り込んでいる場合には、検知部１３が当該文字を検知する（Ｓ００２）。かかるステップＳ００２は、本発明の検知ステップに相当する。
【００６５】
なお、文字の検知領域については、区切れ目設定処理の事前に定められることになっている。本例では、図１に図示のケースのように映像中に映り込んだモニタ画面Ｑ１内に在る文字を検知する。また、モニタ画面Ｑ１に映る文字は、実施される工程が切り替わると、それに伴う形で切り替わることになっている。つまり、第一例では、検知対象となる文字が切り替わる時点が工程の切り替わり時点、換言すると作業映像の区切れ目に相当する。
【００６６】
検知部１３がモニタ画面Ｑ１内の文字を検知した後、その文字が登録文字であるか否かを判定部１４が判定する（Ｓ００３）。本ステップＳ００３は、本発明の判定ステップに相当する。ステップＳ００３について詳しく説明すると、判定部１４は、条件記憶部１５に記憶されている登録文字テーブルを読み出す。この登録文字テーブルとは、図５に示すように、作業Ｐを構成する各工程と工程毎の登録文字との対応関係を示すテーブルデータである。図５は、第一例における区切れ目設定条件としての登録文字を示す図であり、厳密には、登録文字テーブルを示している。
【００６７】
そして、検知部１３により検知された文字がいずれかの登録文字と一致すると判定部１４が判定したとき、区切れ目設定部１６は、当該文字の出現時点を区切れ目に設定する（Ｓ００４）。かかるステップＳ００４は、本発明の区切れ目設定ステップに相当する。
【００６８】
なお、本例では、ステップＳ００４の実施に伴って、特定部１８が、検知部１３により検知された文字の出現時点直後に実施される工程を特定する。より具体的に説明すると、特定部１８は、図５に図示の登録文字テーブルを参照して、検知部１３により検知された文字と一致している登録文字と対応付けられている工程を特定する。これにより、検知部１３により検知された文字の出現時点直後に実施される工程が特定されることになる。
【００６９】
上述したステップのうち、作業映像の再生開始後に行われるステップＳ００２〜Ｓ００４は、モニタ画面Ｑ１に映る文字が切り替わる都度、繰り返し実施される。そして、作業映像が終了した時点で区切れ目設定処理が終了する（Ｓ００５）。区切れ目設定処理が終了した時点では、作業映像中、区切れ目が設定されるべき箇所すべてに区切れ目が設定されている。これにより、作業映像は、作業Ｐを構成する各工程（工程Ａ〜Ｆ）別に区切られるようになる。
【００７０】
ところで、区切れ目設定処理が終了すると、それに伴って作業分析結果データが生成される。この作業分析結果データには、区切れ目設定処理において設定された各区切れ目の設定箇所、及び、区切れ目間の動作に関する情報（動作レコード）が収録されている。また、上記の作業分析結果データが示す情報の中には、作業分析画面中のコメント入力領域Ｓ３に入力された文字情報が含まれている。
【００７１】
また、第一例では、入力処理実行部１７の機能により、検知部１３が検知した文字であって区切れ目設定条件を満たした文字（すなわち、登録文字と一致する文字）が、コメント入力領域Ｓ３における文字情報中に自動的に組み込まれることになっている。つまり、入力処理実行部１７は、作業分析結果データに対して、同データが示すコメント入力領域Ｓ３内の文字情報の中に区切れ目設定条件を満たす文字が組み込まれるように検知文字入力処理を実行する。
【００７２】
（第二例について）
第二例における区切れ目設定処理では、作業映像中に映し出された文字が登録文字であり、且つ、当該文字が規定位置に出現したときに、その時点を基準として区切れ目を設定する。かかる内容について詳しく説明するため、以下では、ベルトコンベア上を流れる作業対象品（以下、ワーク）に対して加工操作を行う作業の作業映像に対して区切れ目を設定する場面を例に挙げて説明することとする。
【００７３】
なお、本例では、ベルトコンベア上を流れるワークに対して順次加工操作を行うことが『作業』に該当し、個々のワークに対する加工操作を開始してから終了するまでの一連の動作が『工程』に該当する。つまり、第二例では、あるワークの加工開始時点が工程の切り替わり時点、換言すると作業映像の区切れ目に相当する。
【００７４】
第二例において、区切れ目設定処理は、図６に示す流れに従って進行する。図６は、第二例に係る区切れ目設定処理の流れを示す図である。具体的に説明すると、第二例に係る区切れ目設定処理では、第一例と同様、分析対象とする作業の作業映像が再生されて作業分析画面中の映像再生領域Ｓ１に表示されるところから始まる（Ｓ０１１）。この際、指定範囲が指定されていれば（すなわち、範囲記憶部１２に指定範囲が記録されていれば）、当該指定範囲の部分映像が映像再生領域Ｓ１に表示されることとなる。
【００７５】
その後、映像再生領域Ｓ１に表示されている映像中の所定領域内に文字が映り込んでいる場合には、検知部１３が当該文字を検知する（Ｓ０１２）。かかるステップＳ００２は、本発明の検知ステップに相当する。なお、本例では、図７に図示するように、映像中に映り込んだワークＱ２に刻印された文字（図中では「ＸＹＺ」と表記）を検知する。図７は、第二例に係る区切れ目設定条件についての説明図であり、検知対象の文字が刻印されたワークＱ２が移動している様子を示している。
【００７６】
具体的に説明すると、ワークＱ２は、図７に示すようにベルトコンベア上で搬送され、映像再生領域Ｓ１に表示されている映像の右端から左端に向かって移動する。そして、映像中、ワークＱ２に刻印された文字全体が表示される位置（図７中、実線にて示す位置）にワークＱ２が映り込むと、検知部１３は、当該刻印文字を検知するようになる。
【００７７】
検知部１３がワークＱ２の刻印文字を検知した後、当該刻印文字が登録文字であるか否かを判定部１４が判定する（Ｓ０１３）。なお、本例では、「ＸＹＺ」が登録文字に該当する。検知した刻印文字が登録文字であると判定した場合、検知部１３は、さらに、当該刻印文字の出現位置が規定位置であるか否かを判定する（Ｓ０１４）。なお、本例では、ワークＱ２の搬送経路中、ワークＱ２に対して加工操作が行われる加工位置（図７中、破線にて示す位置）が規定位置に該当する。ちなみに、ステップＳ０１３及びＳ０１４は、本発明の判定ステップに相当する。
【００７８】
そして、検知部１３により検知されたワークＱ２の刻印文字が登録文字であり、かつ、その出現位置が規定位置であると判定部１４が判定したとき、区切れ目設定部１６は、上記の規定位置に刻印文字が出現した時点を区切れ目に設定する（Ｓ０１５）。かかるステップＳ０１５は、本発明の区切れ目設定ステップに相当する。
【００７９】
上述したステップのうち、作業映像の再生開始後に行われるステップＳ０１２〜Ｓ０１５は、ベルトコンベア上のワークＱ２が映像中に映り込む（フレームインする）度に繰り返し実施される。そして、作業映像が終了した時点で区切れ目設定処理が終了する（Ｓ０１６）。区切れ目設定処理が終了した時点では、作業映像中、区切れ目が設定されるべき箇所すべてに区切れ目が設定されている。これにより、作業映像は、各ワークＱ２の加工操作別（工程別）に区切られるようになる。
【００８０】
なお、第二例においても、第一例と同様、区切れ目設定処理の終了に伴って作業分析結果データが生成される。この作業分析結果データが示す情報は、第一例と略同様である。また、作業分析結果データに対しては検知文字入力処理が実行される。これにより、同データが示す情報のうち、作業分析画面中のコメント入力領域Ｓ３に入力された文字情報には、検知部１３が検知したワークＱ２の刻印文字（具体的には、文字「ＸＹＺ」）が組み込まれるようになる。
【００８１】
（第三例について）
第三例における区切れ目設定処理では、作業映像の中で同時に出現した複数の文字を検知する。そして、複数の文字すべてが登録文字であるときに、当該複数の文字が同時に出現した時点を基準として区切れ目を設定する。かかる内容について詳しく説明するため、以下では、上下一対のプレス器を用いて行われる作業の作業映像に対して区切れ目を設定する場面を例に挙げて説明する。
【００８２】
なお、本例では、複数種類の材料を上下一対のプレス器を用いてプレスすることが『作業』に該当し、各種類別のプレス動作が『工程』に該当する。また、本例では、プレスされる材料の種類が切り替わって別の工程に移行する際には、上下一対のプレス器が当該種類に応じて交換されることになっている。つまり、第三例では、上下一対のプレス器が交換される時点が工程の切り替わり時点、換言すると作業映像の区切れ目に相当する。
【００８３】
第三例において、区切れ目設定処理は、図８に示す流れに従って進行する。図８は、第三例に係る区切れ目設定処理の流れを示す図である。具体的に説明すると、第三例に係る区切れ目設定処理は、第一例と同様、分析対象とする作業の作業映像が再生されて作業分析画面中の映像再生領域Ｓ１に表示されるところから始まる（Ｓ０２１）。この際、指定範囲が指定されていれば（すなわち、範囲記憶部１２に指定範囲が記録されていれば）、当該指定範囲の部分映像が映像再生領域Ｓ１に表示されることとなる。
【００８４】
その後、映像再生領域Ｓ１に表示されている映像中の所定領域（以下、対象エリア）内に複数の文字が映り込んでいる場合には、検知部１３が当該複数の文字を検知する（Ｓ００２）。かかるステップＳ０２２は、本発明の検知ステップに相当する。
【００８５】
ステップＳ０２２について具体的に説明すると、文字の検知領域である対象エリアについては、区切れ目設定処理の事前に定められることになっており、本例では、図９に図示のケースのように、上下一対のプレス器が映り込んだ領域（図中、記号Ｗが付された領域）に設定されている。図９は、第三例において検知される文字についての説明図であり、上下一対のプレス器によって材料をプレスしている様子を示している。
【００８６】
そして、検知部１３は、対象エリアＷ内に上下一対のプレス器が映り込んでいると、各プレス器の表面に刻印された文字を検知する。すなわち、検知部１３は、対象エリアＷ内で同時表示された２箇所の文字（具体的には、上側プレス器Ｑ３の刻印文字と下側プレス器Ｑ４の刻印文字）を検知する。ちなみに、本例において、上側プレス器Ｑ３及び下側プレス器Ｑ４の各々の刻印文字は、互いに異なっており、また、プレスする材料の種類毎に変わっている。ただし、刻印文字についてはプレス器間で共通であってもよい。
【００８７】
検知部１３が対象エリアＷ内で２箇所の文字を検知すると、その後、それぞれの文字が登録文字であるか否かを判定部１４が判定する（Ｓ０２３）。検知部１３が検知した２箇所の文字がかかるステップＳ０２３は、本発明の判定ステップに相当する。
【００８８】
本ステップＳ０２３について詳しく説明すると、本ステップＳ０２３において判定部１４は、検知部１３が検知した２箇所の文字の双方がいずれも登録文字であり、かつ、同じ材料（工程）に対応付けられている文字であるか否かを判定する。より具体的に説明すると、本ステップＳ０２３では、先ず、判定部１４が条件記憶部１５に記憶されている第二の登録文字テーブルを読み出す。この第二の登録文字テーブルとは、図１０に示すように、それぞれのプレス器に対して設定された登録文字の組み合わせと、プレスされる材料の種類（換言すると、工程の種類）との対応関係を示すテーブルデータである。図１０は、第三例において区切れ目設定条件として登録された文字の組み合わせを示す図であり、厳密には、第二の登録文字テーブルを示している。なお、図中の「上側登録文字」は、上側プレス器Ｑ３用の登録文字を意味し、「下側登録文字」は、下側プレス器Ｑ４用の登録文字を意味する。
【００８９】
そして、検知された２箇所の文字の双方が図１０中のいずれかの材料（工程）に対応付けられた登録文字の組み合わせであると判定部１４が判定したとき、区切れ目設定部１６は、上記２箇所の文字が同時に出現した時点を区切れ目に設定する（Ｓ０２４）。かかるステップＳ００４は、本発明の区切れ目設定ステップに相当する。
【００９０】
なお、本例では、ステップＳ０２４の実施に伴って、特定部１８が、検知された２箇所の文字が対象エリアＷ内に出現している間にプレスされる材料の種類（換言すると、工程の種類）を特定する。より具体的に説明すると、特定部１８は、図１０に図示された第二の登録文字テーブルを参照して、検知された２箇所の文字（登録文字）の組み合わせと対応付けられている工程を特定する。例えば、文字「ＭＵａ」と文字「ＭＬｂ」が検知された場合には工程Ａが特定されることになる。これにより、検知された２箇所の文字が対象エリアＷ内に出現している間に実施される工程、厳密には、当該工程においてプレスされる材料の種類が特定されることになる。
【００９１】
上述したステップのうち、作業映像の再生開始後に行われるステップＳ０２２〜Ｓ０２４は、プレスされる材料の切り替えに伴って上下一対のプレス器が交換される都度、繰り返し実施される。そして、作業映像が終了した時点で区切れ目設定処理が終了する（Ｓ０２５）。区切れ目設定処理が終了した時点では、作業映像中、区切れ目が設定されるべき箇所すべてに区切れ目が設定されている。これにより、作業映像は、各種類の材料をプレスする操作別（工程別）に区切られるようになる。
【００９２】
なお、第三例においても、第一例と同様、区切れ目設定処理の終了に伴って作業分析結果データが生成される。この作業分析結果データが示す情報は、第一例と略同様である。また、作業分析結果データに対しては検知文字入力処理が実行される。これにより、同データが示す情報のうち、作業分析画面中のコメント入力領域Ｓ３に入力された文字情報には、検知部１３が検知した２箇所の文字であって区切れ目設定条件を満たした文字（すなわち、登録文字と一致する文字）が組み込まれるようになる。
【００９３】
（第四例について）
第四例における区切れ目設定処理では、第二例と同様、作業映像中に映し出された文字が登録文字であり、且つ、当該文字が規定位置に出現したときに、その時点を基準として区切れ目を設定する。また、第四例では、上記の規定位置が複数設定されており、各規定位置に登録文字と一致する文字が出現したときに、その時点を基準として区切れ目を設定する。かかる内容について詳しく説明するため、以下では、２つの工程によって構成された作業Ｘの作業映像に対して区切れ目を設定する場面を例に挙げて説明することとする。
【００９４】
作業Ｘについて説明すると、作業Ｘを構成する２つの工程のうち、前半の工程では、作業員が製品を組み立て、後半の工程では、作業員が組立後の製品に加工を行う。また、作業員は、製品の組み立てを行うにあたり、作業場における第一位置に移動し、その後に製品の加工を行うにあたり、第一位置から第二位置へ移動する。つまり、第四例では、作業員が第一位置又は第二位置に至った時点が工程の切り替わり時点、換言すると作業映像の区切れ目に相当する。
【００９５】
第四例において、区切れ目設定処理は、図１１に示す流れに従って進行する。図１１は、第四例に係る区切れ目設定処理の流れを示す図である。具体的に説明すると、第四例に係る区切れ目設定処理では、第四例と同様、作業Ｘの作業映像が再生されて作業分析画面中の映像再生領域Ｓ１に表示されるところから始まる（Ｓ０３１）。この際、指定範囲が指定されていれば（すなわち、範囲記憶部１２に指定範囲が記録されていれば）、当該指定範囲の部分映像が映像再生領域Ｓ１に表示されることとなる。
【００９６】
その後、映像再生領域Ｓ１に表示されている映像中の所定領域内に文字が映り込んでいる場合には、検知部１３が当該文字を検知する（Ｓ０３２）。かかるステップＳ００２は、本発明の検知ステップに相当する。なお、本例では、図１２の（Ａ）及び（Ｂ）に図示するように、映像中に映り込んだ作業員が着用している衣服Ｑ５（厳密には、作業帽）に記入された当該作業員の氏名（図中では「山田」と表記）を検知する。図１２の（Ａ）及び（Ｂ）は、第四例に係る区切れ目設定条件についての説明図であり、（Ａ）は、作業員が第一位置にて製品を組み立てている様子を、（Ｂ）は、作業員が第二位置にて製品に加工を行っている様子を、それぞれ示している。
【００９７】
具体的に説明すると、作業員が映像中に映り込んだとき（フレームインしたとき）、検知部１３は、作業員の衣服Ｑ５に記入された当該作業員の氏名を示す文字を検知するようになる。検知部１３が衣服Ｑ５の記入文字を検知した後、その文字が登録文字であるか否かを判定部１４が判定する（Ｓ０３３）。なお、本例では、予め登録された作業員の氏名が登録文字として条件記憶部１５に記憶されている。判定部１４は、検知部１３により検知された文字が条件記憶部１５に記憶された作業員の氏名のいずれかと一致するか否かを判定する。
【００９８】
検知した文字が登録文字であると判定した場合、検知部１３は、さらに、当該文字の出現位置が規定位置であるか否かを判定する（Ｓ０３４、Ｓ０３６）。なお、本例では、作業者が第一位置に居るときの衣服Ｑ５の位置（図１２の（Ａ）における作業帽の位置であり、以下では、便宜的に「第一位置」と呼ぶ）、及び、作業者が第二位置に居るときの衣服Ｑ５の位置（図１２の（Ｂ）における作業帽の位置であり、以下では、便宜的に「第二位置」と呼ぶ）が規定位置に該当する。ちなみに、ステップＳ０３３、Ｓ０３４及びＳ０３６は、本発明の判定ステップに相当する。
【００９９】
そして、検知部１３により検知された衣服Ｑ５の記入文字が登録文字であり、かつ、その出現位置が第一位置又は第二位置であると判定部１４が判定したとき、区切れ目設定部１６は、記入文字が第一位置又は第二位置に出現した時点を区切れ目に設定する（Ｓ０３５、Ｓ０３７）。かかるステップＳ０３５、Ｓ０３７は、本発明の区切れ目設定ステップに相当する。
【０１００】
上述したステップのうち、作業映像の再生開始後に行われるステップＳ０３２〜Ｓ０３７は、作業映像中の作業員が第一位置と第二位置との間を往来する度に繰り返し実施される。そして、作業映像が終了した時点で（Ｓ０３８）、次のステップＳ０３９へ移行するようになる。なお、作業映像終了時点では、当該作業映像中、区切れ目が設定されるべき箇所すべてに区切れ目が設定されている。これにより、作業映像は、作業Ｘを構成する各工程別に区切られるようになる。
【０１０１】
作業映像終了後には、特定部１８が、検知部１３により検知された衣服Ｑ５の記入文字に基づいて作業映像中の作業員（厳密には、作業員の識別ＩＤ）を特定する（Ｓ０３８）。具体的には、特定部１８は、予め登録された複数の作業員の識別ＩＤの中から、検知部１３が検知した記入文字と一致する登録文字と関連付けられている識別ＩＤを特定する。
【０１０２】
また、第四例では、作業映像の終了（ステップＳ０３８）に伴って作業分析結果データが生成される。この作業分析結果データが示す情報は、第一例と略同様である。また、作業分析結果データに対しては検知文字入力処理が実行される。これにより、同データが示す情報のうち、作業分析画面中のコメント入力領域Ｓ３に入力された文字情報には、検知部１３が検知した衣服Ｑ５の記入文字（すなわち、作業員の氏名）が組み込まれるようになる。
【０１０３】
さらに、第四例では、上記の作業分析結果データが、ステップＳ０３８にて特定された作業員の識別ＩＤと紐付けされて記憶されることになっている（Ｓ０３９）。本ステップＳ０３９では、例えば、作業分析結果データのファイル名中に上記の識別ＩＤを示す文字列が埋め込まれる。そして、ステップＳ０３９が終了した時点で、区切れ目設定処理が終了する。
【０１０４】
以上のように、第四例では、作業映像における区切れ目の設定箇所を示す作業分析結果データを、当該作業映像中に映り込んだ作業員の氏名に紐付けて記憶する。これにより、作業分析結果データが示す情報が、どの作業員によって行われた作業に関する内容であるのかを容易に識別することが可能となる。
【０１０５】
＜＜その他の実施形態＞＞
上記の実施形態では、本発明の作業分析支援装置の構成及び動作について具体例を挙げて説明した。しかしながら、上記の実施形態は本発明の一例に過ぎず、上記以外の実施形態も考えられる。例えば、作業映像中に出現した文字を手掛かりにして区切れ目を設定することとした。ただし、作業映像中の文字に限定されるものではなく、その他の像、例えば、作業映像中に映し出されたＱＲコード（登録商標）などの記号、あるいは所定の色や模様・柄のパターンを手掛かりに区切れ目を設定してもよい。
【０１０６】
また、上記の実施形態では、作業映像の区切れ目を設定するにあたり、作業映像を実際に再生してディスプレイ５に表示させることとした。ただし、これに限定されるものではなく、作業映像の再生及び表示を伴わない形で区切れ目の設定がなされてもよい。
【０１０７】
また、上記の実施形態では、一台のコンピュータによって作業分析支援装置が構成されていることとした。すなわち、上記の実施形態では、映像再生部１１、範囲記憶部１２、検知部１３、判定部１４、条件記憶部１５、区切れ目設定部１６、入力処理実行部１７及び特定部１８が一台のコンピュータによって実現されているケースを例に挙げて説明した。ただし、これに限定されるものではなく、複数台のコンピュータによって作業分析支援装置が構成され、上記の機能部の一部を実現するコンピュータと、それ以外の機能部を実現するコンピュータとが別々の機器であってもよい。
【０１０８】
また、上記の実施形態では、検知された文字（像）が区切れ目設定条件を満たした時点を区切れ目に設定することとした。より具体的に説明すると、第一例や第三例では、検知された文字が登録文字である場合、当該文字の出現時点を区切れ目に設定した。また、第二例や第四例では、検知された文字が登録文字であり、かつ、その出現位置が規定位置である場合、当該文字が規定位置に出現した時点を区切れ目に設定した。ただし、これに限定されるものではなく、例えば、検知された文字（像）が区切れ目設定条件を満たした時点からｎ秒（ｎは実数）経過した時点、あるいはｎ秒遡った時点を区切れ目に設定してもよい。
【符号の説明】
【０１０９】
１  ＣＰＵ
２  メモリ
３  ハードディスクドライブ
４  入力装置
５  ディスプレイ
６  スピーカ
１０  本装置（作業分析支援装置）
１１  映像再生部
１２  範囲記憶部
１３  検知部
１４  判定部
１５  条件記憶部
１６  区切れ目設定部
１７  入力処理実行部（処理実行部）
１８  特定部
ＣＲ１，ＣＲ２  範囲指定カーソル
ＰＢ  再生バー
Ｑ１  モニタ画面
Ｑ２  ワーク
Ｑ３  上側プレス器
Ｑ４  下側プレス器
Ｑ５  衣服
Ｓ１  映像再生領域
Ｓ２  動作リスト領域
Ｓ３  コメント入力領域
【図１】
0006717606.tif 000002
【図２】
0006717606.tif 000003
【図３】
0006717606.tif 000004
【図４】
0006717606.tif 000005
【図５】
0006717606.tif 000006
【図６】
0006717606.tif 000007
【図７】
0006717606.tif 000008
【図８】
0006717606.tif 000009
【図９】
0006717606.tif 000010
【図１０】
0006717606.tif 000011
【図１１】
0006717606.tif 000012
【図１２】
0006717606.tif 000013